(57)【要約】【課題】ハット型やキャップ型の帽子において、庇の当りを良くし、雨水のスベリへの浸透を阻止する。【解決手段】芯部材６を備えた庇５がクラウン２に取り付けられ、クラウン２にスベリ３が内設された帽子１であって、庇５の表生地７から延長された延長部５ａとクラウン２とが連結されるとともに、芯部材６は延長部５ａを介してスベリ３との間に周方向にわたって離間されて庇５に設けられ、スベリ３の外周側には非透水性布帛９が設けられている。【選択図】図１
2008045234.tif 000002
【特許請求の範囲】
【請求項１】
芯部材を備えた庇がクラウンに取り付けられ、このクラウンにスベリが内設された帽子において、
前記庇の表生地から延長された延長部とクラウンとが連結されるとともに、前記芯部材は延長部を介してスベリとの間に周方向にわたって離間されて庇に設けられ、スベリの外周側には非透水性布帛が設けられていることを特徴とする帽子。
【請求項２】
請求項１に記載の帽子において、前記延長部が織り方向をクラウンに対して斜めに配設される布繊維であることを特徴とする帽子。
【請求項３】
請求項１または２に記載の帽子において、前記延長部の下面には非透水性布帛が設けられていることを特徴とする帽子。
【請求項４】
請求項１に記載の帽子において、前記延長部が非透水性布帛であることを特徴とする帽子。
【請求項５】
請求項１から４のいずれかに記載の帽子において、前記延長部の下位には緩衝シートが設けられていることを特徴とする帽子。
【請求項６】
請求項１から５のいずれかに記載の帽子において、前記庇は表生地と裏生地とから袋状に形成され、延長部の下位には裏生地が開口されるとともに裏生地の開口から芯部材が挿通されて取付けされていることを特徴とする帽子。
【請求項７】
表生地と裏生地とから袋状に形成するとともに表生地に延長部を設けておく庇形成工程と、スベリの外周側に非透水性布帛を設けてクラウンに庇の表生地の延長部を接合する接合工程と、延長部の下面の裏生地の開口から挿入する芯部材を準備する芯部材準備工程とからなる帽子の製造方法。
【請求項８】
表生地と裏生地とから袋状に形成するとともに表生地に延長部を設けておく庇形成工程と、スベリの外周側に非透水性布帛を設けてクラウンに庇の表生地の延長部を接合する接合工程と、延長部の下面の裏生地の開口から芯部材を挿入する芯部材挿入工程と、芯部材を庇に止め付けする止着工程とからなる帽子の製造方法。
【発明の詳細な説明】
【技術分野】
【０００１】
本発明は、ハット型やキャップ型の帽子に関するものである。
【背景技術】
【０００２】
従来この種の帽子においては、遮光などを目的として庇がクラウンの全周（ハット型）または一部（キャップ型）に取り付けられ、汗取りなどを目的としてスベリがクラウンに内設されていた（例えば、特許文献１参照）。
【特許文献１】特開２００５−２９０５６６号公報
【発明の開示】
【発明が解決しようとする課題】
【０００３】
しかしながら、この種の帽子においては、クラウンの下端内周と、庇の表生地の内周端と、芯部材の内周端と、裏生地の内周端と、スベリとが重ねられ、これらが重ねられた状態で縫着ないし接合されていた。芯部材は厚みを有して保形性を有する硬い素材であるので、内周端は頭部形状に沿った円形状に形成されていた。しかし、これでは次のような不都合があった。
【０００４】
第１に、帽子を被る人の頭部（額部）はサイズや形状が人それぞれで異なるために、庇が芯部材入りである場合、芯部の内周端の硬い部分が頭部に当たり、肌触りが悪くなる恐れがある。例えば頭部が大きいときには、クラウンの下端内周まで頭部が嵌まり込んでしまうので、芯部材の内周端の大部分が当接することとなってしまう。額などが広いときには、広い部位に芯部材の内周端が部分的に当接することなど当たり感が良くないものであった。
【０００５】
第２に、クラウンや庇に雨水がかかると、クラウンから流れた雨水が傾斜の緩やかな庇に滞留し、縫着部位ないし接合部位から雨水が内部に浸透してスベリまで伝わってくる不具合があった。
【０００６】
第３に、帽子の製造に際しては、上述のようにクラウン・庇の表生地・芯部材・裏生地の各内周端とスベリとを重ねたうえでこれらを縫着するので、熟練した技術が求められており、製帽技術者が限られていた。
【０００７】
第４に、クラウンに芯部材入り庇を取付けて製造しておくと、在庫に際して芯部材の存在によって嵩高くなってしまうものであった。また、重ね合わせて積み重ねたとしても、重ね方向性が限られてしまい、積み重ねた周囲の隣接空間が無駄になってしまう欠点があった。
【０００８】
本発明は、このような問題点を考慮してなされたものであり、庇が芯部材入りであっても当たり感が良好で、雨水のスベリへの浸透を阻止することが可能で、しかも簡単に製造することができる帽子を提供することを目的とする。
【課題を解決するための手段】
【０００９】
前述の目的を達成するため、本発明に係る帽子は、次のような手段を採用する。
【００１０】
すなわち、請求項１に記載の発明は、芯部材を備えた庇がクラウンに取り付けられ、このクラウンにスベリが内設された帽子において、前記庇の表生地から延長された延長部とクラウンとが連結されるとともに、前記芯部材は延長部を介してスベリとの間に周方向にわたって離間されて庇に設けられ、スベリの外周側には非透水性布帛が設けられていることを特徴とする。
【００１１】
請求項２に記載の発明は、請求項１に記載の帽子において、前記延長部が織り方向をクラウンに対して斜めに配設される布繊維であることを特徴とする。
【００１２】
請求項３に記載の発明は、請求項１または２に記載の帽子において、前記延長部の下面には非透水性布帛が設けられていることを特徴とする。
【００１３】
請求項４に記載の発明は、請求項１に記載の帽子において、前記延長部が非透水性布帛であることを特徴とする。
【００１４】
請求項５に記載の発明は、請求項１から４のいずれかに記載の帽子において、前記延長部の下位には緩衝シートが設けられていることを特徴とする。
【００１５】
請求項６に記載の発明は、請求項１から５のいずれかに記載の帽子において、前記庇は表生地と裏生地とから袋状に形成され、延長部の下位には裏生地が開口されるとともに裏生地の開口から芯部材が挿通されて固定されていることを特徴とする。
【００１６】
請求項７に記載の発明は、表生地と裏生地とから袋状に形成するとともに表生地に延長部を設けておく庇形成工程と、スベリの外周側に非透水性布帛を設けてクラウンに庇の表生地の延長部を接合する接合工程と、延長部の下面の裏生地の開口から挿入する芯部材を準備する芯部材準備工程とからなる帽子の製造方法を特徴とする。
【００１７】
請求項８に記載の発明は、表生地と裏生地とから袋状に形成するとともに表生地に延長部を設けておく庇形成工程と、スベリの外周側に非透水性布帛を設けてクラウンに庇の表生地の延長部を接合する接合工程と、延長部の下面の裏生地の開口から芯部材を挿入する芯部材挿入工程と、芯部材を庇に止め付けする止着工程とからなる帽子の製造方法を特徴とする。
【発明の効果】
【００１８】
請求項１に係る発明によれば、装着時に庇の芯部材が延長部を介して離間されているので、頭部に当たらなくなり、芯部材入りであるにも拘らず芯部材がないものと同じ感触が得られ、スベリへの雨水の浸透も防止される。換言すると、芯部材による庇への保形力を有する一方で芯部材による当り感がなく雨水に強い帽子を提供することができる。
【００１９】
また、請求項２に係る発明によれば、帽子の装着時に、布繊維が頭部に合わせて斜め方向へ伸縮するために延長部が頭部に沿いやすくなる。
【００２０】
また、請求項３に係る発明によれば、非透水性布帛によってクラウンや庇に雨水がかかっても、その雨水が延長部に浸透することがなく、スベリに浸透する事態を防ぐことができる。
【００２１】
また、請求項４に係る発明によれば、延長部が非透水性布帛であるので、下面に非透水性布帛を別個に設けることがなく、その分だけクラウンの下端内周に余裕を持たせることができる。非透水性布帛の延長部によって、クラウンや庇への雨水の浸透を防止してスベリへの浸透も阻止することができる。
【００２２】
また、請求項５に係る発明によれば、芯部材のない延長部と緩衝シートとによる相乗作用によって、ソフト感を増した当り感のない帽子を提供することができる。
【００２３】
また、請求項６に係る発明によれば、予め表生地の延長部をクラウンに簡単に取付することができるうえに、裏生地の開口から芯部材を挿通するだけの作業でクラウンから離間した芯部材入りの庇を形成することができる。
【００２４】
さらに、請求項７の製造方法によれば、表生地の延長部をクラウンに対して格別な製帽技術を要することなく容易に縫着することができ、庇を有する完成手前の帽子体を準備しておくことができる。その結果、芯部材を別に準備しておくので、製帽の必要性に対応して芯部材を挿通するだけの作業で帽子を製造することができる。特に、完成手前の帽子体と芯部材とを嵩高となることなく別個に管理保管することができる。
【００２５】
さらにまた、請求項８の製造方法によれば、表生地の延長部をクラウンに対して格別な製帽技術を要することなく容易に縫着することができ、庇の裏生地の開口から芯部材を挿通するだけの作業で帽子を製造することができ、芯部材入りの庇付きで当り感の無い帽子の製帽マニュアル化を実現することができる。
【発明を実施するための最良の形態】
【００２６】
以下、本発明の実施形態を図面に基づいて説明する。
【００２７】
＜第１の実施形態＞
図１は本発明に係る帽子の第１の実施形態（キャップ型の帽子）を示す図であって、（ａ）は側面図、（ｂ）は斜め下から見た斜視図である。図２は図１の帽子の製造手順を示す工程図であって、（ａ）は表生地と裏生地で袋状にした庇およびスベリをクラウンに縫い付ける工程図、（ｂ）は袋状の庇に芯部材を入れる工程図、（ｃ）は表生地をクラウンとスベリとの間に縫い付ける工程図である。
【００２８】
キャップ型の帽子１は、図１に示すように、略頭部状のクラウン２を有しており、クラウン２の下端内周には帯状のスベリ３がクラウン２の全周にわたって内設されている。また、クラウン２の下端内周の一部には三日月状の庇５がほぼ水平に取り付けられている。庇５は、図１（ａ）に示すように、芯部材６、表生地７および裏生地８から構成されている。ここで、表生地７には、芯部材６の内周縁をクラウン２から例えば３〜１５ｍｍ程度離間する延長部５ａが一体に延長され、延長部５ａによって芯部材６がスベリ３との間を離間されている。芯部材６は、裏生地８にその内周方向（クラウン２の周方向）にわたって止め付けられている。なお、表生地７および裏生地８は織物地、布帛地あるいは合成樹脂布帛などを選択することができる。合成樹脂布帛の場合には表生地７又は裏生地８をいずれも透明や半透明等とすることができる。透明や半透明の場合には、芯部材６をクラウン２と異なる色を選択して色組合せることができる。
【００２９】
上記延長部５ａは上記した例えば３〜１５ｍｍ程度の幅のほかに、クラウン２への縫着代を備えており、生地の種類に応じて可撓性を有している。延長部５ａの下面には例えば薄シート状ないしフィルム状の非透水性布帛９を延長部よりも広幅に設けている。即ち、非透水性布帛９は、スベリ３への雨水の浸透防止のために延長部５ａの内周端よりも広幅でスベリ３の外周側に重ねられ、芯部材６の内周端より外周側まで延長されて重ねられている(図１(ａ）の拡大図参照）。その結果、延長部５ａと非透水性布帛９は、２層構造とすることができ、２層構造でクラウン２から離間する芯部材６入りの庇５が可撓性を有して保持して構成されている。非透水性布帛９としては、ポリプロピレンなどからなる雨水の浸透を防ぐ素材が選択される。
【００３０】
このように、芯部材６とスベリ３との間には延長部５ａによる間隔が設けられているので、庇５に芯部材６が入っていても、装着時に芯部材６が頭部に当たらなくなり、肌触りが良好となる。また、庇５とスベリ３との間に非透水性布帛９が介在しているため、クラウン２や庇５に雨水がかかっても、その雨水がスベリ３に伝わって浸透する事態を防ぐことができる。また、庇５は、芯部材６が裏生地８の全長にわたって止め付けられており、芯部材６の止め付け部位が裏生地８の全長に及ぶため、丈夫な帽子１が得られる。さらに、庇５は、芯部材６がクラウン２と色違いであるとともに、表生地７および裏生地８が透明であるため、表生地７および裏生地８を透して外部から芯部材６が見えるため、ツートンカラーの帽子１を楽しむことができる。
【００３１】
そして、この帽子１を製造する際には、次の手順による。
【００３２】
まず、図２（ａ）に示す庇形成工程は、表生地７と裏生地８とから袋状に形成するとともに表生地７に延長部５ａを予め延長して設けておく。表生地７は庇先端側の下面側まで被せられるように長めにし、庇先端側下面で裏生地８に縫着や接着等して袋状に形成する。その際に、非透水性布帛９を延長部５ａの下面に添設し、スベリ３の外周側まで延長する。
【００３３】
次に接合工程は、クラウン２の下端内周に沿って庇５の表生地７の延長部５ａを当てがい、その内周端を接合して一体化する。延長部５ａの下面には非透水性布帛９が積層されているが、硬質の芯部材６が存在しない重ね状態で容易に一体化される。接合としては、製帽職人による縫着作業で実施されるが、接着剤や熱融着等により一体化することも可能である。
【００３４】
さらに、図２（ｂ）に示す芯部材挿入工程は、延長部５ａの下面にある裏生地８の開口へ芯部材６を挿通することで極めて簡単に実施される。
【００３５】
さらにまた、図２（ｃ）に示す止着工程は、芯部材６を裏生地８から表生地７の下面まで縫い付けることで完了する。縫い付けは、芯部材６の全域にわたってまたは所望箇所(図４参照）に実施することができる。
【００３６】
＜第２の実施形態＞
図３は本発明に係る帽子の第２の実施形態（キャップ型の帽子）の要部断面図である。なお、以下、同一符号は同等部分を示し、重複説明を省略する。
【００３７】
第２の実施形態においては、図３に示すように、延長部５ａが非透水性布帛で形成され、スベリ３の外周側まで延ばされてクラウン２の下端内周とスベリ３の外周側とに接合される。非透水性布帛は表生地７に熱融着や縫着等によって一体接合されて延長部５ａとして形成される。
この実施例によれば、延長部５ａが非透水性布帛であるので、下面に非透水性布帛を別個に設けることがなく、その分だけクラウン２の下端内周にスペース的余裕を持たせることができ、クラウン２への縫着作業も一層容易となる。
【００３８】
＜第３の実施形態＞  
図４は、本発明に係る帽子の第３の実施形態（キャップ型の帽子）を示す図であって、（ａ）は斜め下から見た斜視図、（ｂ）は要部断面図である。
【００３９】
第３の実施形態においては、図４に示すように、芯部材６を裏生地８に縫い付けるに際しては、裏生地８の延長部５ａに近接する内周方向の両端１１，１１のみを芯部材６に縫い付けすることが可能である。
この実施形態では、裏生地８の周方向の両端以外はフリーとなっているので、裏生地８の内周端を開口とするポケット１２を提供することができ、切符や紙幣などのペーパー類１３を挿入して保持することができる。取り出しに際しては、開口からペーパー類１３を抜き出すことができる。なお、延長部５ａを可撓させて開口に指先を臨ませてペーパー類１３を掴むこともできる。その際に裏生地８を透明素材とした場合には、紙幣等の挿入状態をそのまま確認可能となる。
【００４０】
＜第４の実施形態＞
図５は本発明に係る帽子の第３の実施形態（ハット型の帽子）を示す図であって、（ａ）は側面図、（ｂ）は底面図である。
【００４１】
第４の実施形態では、図５に示すように、クラウン２の下部外周の全周に庇５がほぼ水平に取り付けられたハット型の帽子１に適用することも勿論できる。延長部５ａがクラウン２の下端円周に沿ってリング状に配置され、延長部５ａの下面には非透水性布帛９がリング状に重ねられ、縫い付けされて製帽される。図５に示すように、芯部材６は、延長部５ａを介して環状に離間して配置されている。
【００４２】
第４の実施形態によれば、リング状の延長部５ａを介して芯部材６により環状に保形された庇５が張り出しされ、頭部周囲にわたって当り感のない可撓性を兼備した見栄えの良いハットを提供することができる。この場合にも、芯部材６を別に準備して挿通したり、裏生地８への縫い付け部位の選択により財布効果を兼備させることが可能である。
【００４３】
＜第５の実施形態＞
図６は本発明に係る帽子の第５の実施形態を示す要部断面図である。
【００４４】
各実施形態においては、庇５とスベリ３との間に非透水性布帛９が介在している場合を前提として説明したが、これに加えて、図６に示すように、スポンジ、ウレタンなどの緩衝材１０を非透水性布帛９の下面に設けることも可能である。
この実施形態によれば、帽子１の装着時に、頭部への芯部材６の当たり感が緩衝材１０によって一層緩和され、肌触りが良好となる。
【００４５】
＜その他の実施形態＞
上述した製造方法では、第１の実施形態のキャップ型の帽子を前提として説明しているが、ハット型の帽子にもそのまま適用可能であるうえに、第２の実施形態の構造にもそのまま適用可能である。
また、織り方向をクラウンに対して斜めに配設される布繊維で形成した延長部については、図示しないが、表生地７に上記布繊維を縫着等で一体化した上で実施されるか、表生地２を上記布繊維として実施することができる。
【図面の簡単な説明】
【００４６】
【図１】本発明に係る帽子の第１の実施形態（キャップ型の帽子）を示す図であって、（ａ）は側面図、（ｂ）は斜め下から見た斜視図である。
【図２】図１の帽子の製造手順を示す工程図であって、（ａ）は表生地と裏生地で袋状にした庇およびスベリをクラウンに縫い付ける工程図、（ｂ）は袋状の庇に芯を入れる工程図、（ｃ）は表生地をクラウンとスベリとの間に縫い付ける工程図である。
【図３】本発明に係る帽子の第２の実施形態（キャップ型の帽子）の要部断面図である。
【図４】本発明に係る帽子の第３の実施形態（キャップ型の帽子）を示す図であって、（ａ）は斜め下から見た斜視図、（ｂ）は要部断面図である。
【図５】本発明に係る帽子の第４の実施形態（ハット型の帽子）を示す図であって、（ａ）は側面図、（ｂ）は底面図である。
【図６】本発明に係る帽子の第５の実施形態を示す要部断面図である。
【符号の説明】
【００４７】
１……帽子
２……クラウン
３……スベリ
５……庇
５ａ……延長部
６……芯
７……表生地
８……裏生地
９……非透水性布帛
１０……緩衝材
１１……両端
１２……ポケット
１３……ペーパー類
【図１】
2008045234.tif 000003
【図２】
2008045234.tif 000004
【図３】
2008045234.tif 000005
【図４】
2008045234.tif 000006
【図５】
2008045234.tif 000007
【図６】
2008045234.tif 000008